(57)【特許請求の範囲】
【請求項１】
直列接続された第１〜第Ｎの半導体スイッチング素子を含むスイッチを制御する制御装置であって、
第１〜第Ｎの交流電圧を生成する交流電圧発生器と、
前記第１〜第Ｎの交流電圧をそれぞれ第１〜第Ｎの直流電圧に変換する直流電圧発生器と、
前記スイッチをオンさせる場合には、前記第１〜第Ｎの直流電圧をそれぞれ前記第１〜第Ｎの半導体スイッチング素子のゲートに与え、前記スイッチをオフさせる場合には、前記第１〜第Ｎの直流電圧の前記第１〜第Ｎの半導体スイッチング素子のゲートへの供給を停止するドライバとを備え、
前記交流電圧発生器は、第１〜第Ｎの絶縁トランスを含み、
第ｎおよび第（ｎ＋１）の絶縁トランスの１次巻線は交流電源電圧を受け、
第１〜第（ｎ−１）の絶縁トランスの１次巻線はそれぞれ第２〜第ｎの絶縁トランスの２次巻線に接続され、
第（ｎ＋２）〜第Ｎの絶縁トランスの１次巻線はそれぞれ第（ｎ＋１）〜第（Ｎ−１）の絶縁トランスの２次巻線に接続され、
第１〜第Ｎの絶縁トランスの２次巻線はそれぞれ第１〜第Ｎの交流電圧を出力し、
Ｎは２以上の自然数であり、ｎはＮよりも小さな自然数である、制御装置。
【請求項２】
前記第１〜第Ｎの半導体スイッチング素子はそれぞれ第１〜第Ｎの絶縁ゲートバイポーラトランジスタである、請求項１に記載の制御装置。
【請求項３】
前記スイッチは、さらに、それぞれ前記第１〜第Ｎの絶縁ゲートバイポーラトランジスタに逆並列に接続された第１〜第Ｎのダイオードを含む、請求項２に記載の制御装置。
【請求項４】
さらに、商用交流電源が正常であるか否かを判定する判定部を備え、
前記スイッチは前記商用交流電源と負荷の間に接続され、
前記ドライバは、前記判定部の判定結果に基づいて動作し、前記商用交流電源が正常である場合には前記スイッチをオンさせ、前記商用交流電源が正常でない場合には前記スイッチをオフさせる、請求項１に記載の制御装置。
【請求項５】
直列接続された第１〜第Ｎの半導体スイッチング素子を含むスイッチを制御する制御装置であって、
第１〜第Ｎの交流電圧を生成する交流電圧発生器と、
前記第１〜第Ｎの交流電圧をそれぞれ第１〜第Ｎの直流電圧に変換する直流電圧発生器と、
前記スイッチをオンさせる場合には、前記第１〜第Ｎの直流電圧をそれぞれ前記第１〜第Ｎの半導体スイッチング素子のゲートに与え、前記スイッチをオフさせる場合には、前記第１〜第Ｎの直流電圧の前記第１〜第Ｎの半導体スイッチング素子のゲートへの供給を停止するドライバとを備え、
前記交流電圧発生器は、第１〜第Ｎの絶縁トランスを含み、
第ｎの絶縁トランスの１次巻線は交流電源電圧を受け、
第１〜第（ｎ−１）の絶縁トランスの１次巻線はそれぞれ第２〜第ｎの絶縁トランスの２次巻線に接続され、
第（ｎ＋１）〜第Ｎの絶縁トランスの１次巻線はそれぞれ第ｎ〜第（Ｎ−１）の絶縁トランスの２次巻線に接続され、
第１〜第Ｎの絶縁トランスの２次巻線はそれぞれ第１〜第Ｎの交流電圧を出力し、
Ｎは３以上の自然数であり、ｎはＮよりも小さな自然数である、制御装置。
【請求項６】
前記交流電圧発生器は、さらに、前記交流電源電圧を生成する交流電源を含み、
前記第ｎの絶縁トランスは前記交流電源内に設けられている、請求項５に記載の制御装置。
【請求項７】
前記第１〜第Ｎの半導体スイッチング素子はそれぞれ第１〜第Ｎの絶縁ゲートバイポーラトランジスタである、請求項５に記載の制御装置。
【請求項８】
前記スイッチは、さらに、それぞれ前記第１〜第Ｎの絶縁ゲートバイポーラトランジスタに逆並列に接続された第１〜第Ｎのダイオードを含む、請求項７に記載の制御装置。
【請求項９】
さらに、商用交流電源が正常であるか否かを判定する判定部を備え、
前記スイッチは前記商用交流電源と負荷の間に接続され、
前記ドライバは、前記判定部の判定結果に基づいて動作し、前記商用交流電源が正常である場合には前記スイッチをオンさせ、前記商用交流電源が正常でない場合には前記スイッチをオフさせる、請求項５に記載の制御装置。
【発明の詳細な説明】
【技術分野】
【０００１】
この発明は制御装置に関し、特に、直列接続された複数の半導体スイッチング素子を含むスイッチを制御する制御装置に関する。
【背景技術】
【０００２】
たとえば特開昭５９−３７７３３号公報（特許文献１）には、直列接続された第１〜第Ｎの半導体スイッチング素子を含むスイッチを制御する制御装置が開示されている。この制御装置は、第１〜第Ｎの交流電圧を生成する交流電圧発生器と、第１〜第Ｎの交流電圧をそれぞれ第１〜第Ｎの直流電圧に変換する直流電圧発生器と、スイッチを導通させる場合に、第１〜第Ｎの直流電圧をそれぞれ第１〜第Ｎの半導体スイッチング素子のゲートに与えるドライバとを備える。【０００３】
交流電圧発生器は、第１〜第Ｎの絶縁トランスを含む。第１の絶縁トランスの１次巻線は交流電源電圧を受け、第１〜第（Ｎ−１）の絶縁トランスの２次巻線はそれぞれ第２〜第Ｎの絶縁トランスの１次巻線に接続され、第１〜第Ｎの絶縁トランスの２次巻線はそれぞれ第１〜第Ｎの交流電圧を出力する。
【先行技術文献】
【特許文献】
【０００４】
【特許文献１】特開昭５９−３７７３３号公報
【発明の概要】
【発明が解決しようとする課題】
【０００５】
特許文献１の制御装置では、第１〜第Ｎの絶縁トランスを順次接続するので、各絶縁トランスの負荷容量を当該絶縁トランスよりも下流側の全絶縁トランスの負荷容量の総和とする必要がある。たとえばＮ＝７とし、第７の絶縁トランスの負荷容量をＰとすると、第１〜第７の絶縁トランスの負荷容量はそれぞれ７Ｐ，６Ｐ，５Ｐ，…，２Ｐ，Ｐとなる（図６参照）。このため、第１〜第Ｎの絶縁トランスの負荷容量の総和が大きくなり、装置が大型でコスト高になるという問題があった。【０００６】
それゆえに、この発明の主たる目的は、小型で低コストの制御装置を提供することである。
【課題を解決するための手段】
【０００７】
この発明に係る制御装置は、直列接続された第１〜第Ｎの半導体スイッチング素子を含むスイッチを制御する制御装置であって、第１〜第Ｎの交流電圧を生成する交流電圧発生器と、第１〜第Ｎの交流電圧をそれぞれ第１〜第Ｎの直流電圧に変換する直流電圧発生器と、スイッチをオンさせる場合には、第１〜第Ｎの直流電圧をそれぞれ第１〜第Ｎの半導体スイッチング素子のゲートに与え、スイッチをオフさせる場合には、第１〜第Ｎの直流電圧の第１〜第Ｎの半導体スイッチング素子のゲートへの供給を停止するドライバとを備えたものである。【０００８】
交流電圧発生器は、第１〜第Ｎの絶縁トランスを含む。第ｎおよび第（ｎ＋１）の絶縁トランスの１次巻線は交流電源電圧を受け、第１〜第（ｎ−１）の絶縁トランスの１次巻線はそれぞれ第２〜第ｎの絶縁トランスの２次巻線に接続され、第（ｎ＋２）〜第Ｎの絶縁トランスの１次巻線はそれぞれ第（ｎ＋１）〜第（Ｎ−１）の絶縁トランスの２次巻線に接続され、第１〜第Ｎの絶縁トランスの２次巻線はそれぞれ第１〜第Ｎの交流電圧を出力する。Ｎは２以上の自然数であり、ｎはＮよりも小さな自然数である。
【発明の効果】
【０００９】
この発明に係る制御装置では、第ｎ〜第１の絶縁トランスを順次接続するとともに、第（ｎ＋１）〜第Ｎの絶縁トランスを順次接続する。たとえば、Ｎ＝７とし、ｎ＝４とし、第Ｎの絶縁トランスの負荷容量をＰとすると、第１〜第７の絶縁トランスの負荷容量はそれぞれＰ，２Ｐ，３Ｐ，４Ｐ，３Ｐ，２Ｐ，Ｐとなる。したがって、第１〜第Ｎの絶縁トランスの負荷容量の総和を従来よりも小さくすることができ、装置の小型化および低コスト化を図ることができる。
【図面の簡単な説明】
【００１０】
【図１】この発明の実施の形態１による無停電電源装置の構成を示す回路ブロック図である。
【図２】図１に示した制御装置のうちのスイッチの制御に関連する部分の構成を示す回路ブロック図である。
【図３】図２に示した交流電圧発生器の構成を示す回路ブロック図である。
【図４】図３に示した交流電源の構成を示す回路ブロック図である。
【図５】図２に示した整流器および切換回路の構成を示す回路図である。
【図６】実施の形態１の比較例１を示す回路ブロック図である。
【図７】実施の形態１の他の比較例２を示す回路ブロック図である。
【図８】この発明の実施の形態２による無停電電源装置の要部を示す回路ブロック図である。
【図９】この発明の実施の形態３による無停電電源装置の要部を示す回路ブロック図である。
【図１０】図９に示した交流電源の構成を示す回路ブロック図である。
【発明を実施するための形態】
【００１１】
[実施の形態１]
図１は、この発明の実施の形態１による無停電電源装置の構成を示す回路ブロック図である。この無停電電源装置は三相交流電力を負荷に供給するものであるが、図面および説明の簡単化のため、図１では一相に関連する部分のみが示されている。また、このような無停電電源装置は瞬低補償装置とも呼ばれる。
【００１２】
図１において、この無停電電源装置は、交流入力端子ＴＩ、交流出力端子ＴＯ、バッテリ端子ＴＢ、スイッチ１、電流検出器ＣＴ、双方向コンバータ２、および制御装置３を備える。
【００１３】
交流入力端子ＴＩは、商用交流電源４から商用周波数の交流電圧ＶＩを受ける。交流入力電圧ＶＩの瞬時値は、制御装置３によって検出される。制御装置３は、交流入力電圧ＶＩの瞬時値に基づいて、商用交流電源４から交流電圧ＶＩが正常に供給されているか否かを判別する。
【００１４】
交流出力端子ＴＯは、負荷５に接続される。負荷５は、無停電電源装置から供給される交流電力によって駆動される。交流出力端子ＴＯに現れる交流出力電圧ＶＯの瞬時値は、制御装置３によって検出される。
【００１５】
バッテリ端子ＴＢは、バッテリ６に接続される。バッテリ６は、直流電力を蓄える。バッテリ６の代わりにコンデンサが接続されていても構わない。バッテリ６の端子間電圧ＶＢの瞬時値は、制御装置３によって検出される。
【００１６】
スイッチ１の一方端子１ａは交流入力端子ＴＩに接続され、その他方端子１ｂは交流出力端子ＴＯに接続される。スイッチ１は、一方端子１ａおよび他方端子１ｂ間に直列接続されたＮ個のＩＧＢＴ（Insulated  Gate  Bipolar  Transistor）Ｑ１〜ＱＮと、Ｎ個のダイオードＤ１〜ＤＮとを含む。Ｎは、２以上の自然数であり、たとえば７である。ダイオードＤ１〜ＤＮは、それぞれＩＧＢＴＱ１〜ＱＮに逆並列に接続されている。
【００１７】
スイッチ１は、制御装置３によって制御される。商用交流電源４から交流電圧ＶＩが正常に供給されている場合（商用交流電源４の健全時）には、スイッチ１はオン状態にされる。商用交流電源４から交流電圧ＶＩが正常に供給されていない場合（商用交流電源４の停電時）には、スイッチ１はオフされる。
【００１８】
電流検出器ＣＴは、スイッチ１の他方端子１ｂから交流出力端子ＴＯに流れる交流電流（負荷電流）ＩＯの瞬時値を検出し、その検出値を示す信号を制御装置３に与える。
【００１９】
双方向コンバータ２は、スイッチ１の他方端子１ｂとバッテリ端子ＴＢの間に接続され、制御装置３によって制御される。双方向コンバータ２は、商用交流電源４の健全時には、商用交流電源４からスイッチ１を介して供給される交流電力を直流電力に変換してバッテリ６に蓄える。このとき制御装置３は、バッテリ６の端子間電圧ＶＢが参照電圧ＶＢｒになるように双方向コンバータ２を制御する。
【００２０】
また、双方向コンバータ２は、商用交流電源４の停電時には、バッテリ６の直流電力を商用周波数の交流電力に変換して負荷５に供給する。このとき制御装置３は、交流出力電圧ＶＯおよび交流出力電流ＩＯに基づき、交流出力電圧ＶＯが参照電圧ＶＯｒになるように双方向コンバータ２を制御する。制御装置３は、バッテリ６の端子間電圧ＶＢが低下して下限電圧に到達した場合には、双方向コンバータ２の運転を停止させる。
【００２１】
次に、この無停電電源装置の動作について説明する。商用交流電源４の健全時には、スイッチ１がオンされ、商用交流電源４からスイッチ１を介して負荷５に交流電力が供給され、負荷５が運転される。また、商用交流電源４からスイッチ１を介して双方向コンバータ２に交流電力が供給され、その交流電力が直流電力に変換されてバッテリ６に蓄えられる。
【００２２】
商用交流電源４の停電時には、スイッチ１が瞬時にオフされ、商用交流電源４と負荷５が電気的に切り離される。同時に、バッテリ６の直流電力が双方向コンバータ２によって交流電力に変換されて負荷５に供給される。したがって、停電が発生した場合でも、バッテリ６に直流電力が蓄えられている期間は、負荷５の運転を継続することができる。
【００２３】
図２は、図１に示した制御装置３のうちのスイッチ１の制御に関連する部分の構成を示す回路ブロック図である。図２において、制御装置３は、電圧検出器１０、停電検出器１１、光ファイバＦＡ１〜ＦＡＮ，ＦＢ１〜ＦＢＮ、交流電圧発生器１２、直流電圧発生器１３、およびドライバ１４を含む。
【００２４】
電圧検出器１０は、商用交流電源４（図１）から供給される交流電圧ＶＩの瞬時値を検出し、その検出値を示す信号を出力する。停電検出器１１（判定部）は、電圧検出器１０の出力信号に基づいて商用交流電源４が正常であるか否かを判別し、判別結果を示す光信号α１〜αＮ，β１〜βＮを出力する。交流電圧ＶＩは、たとえば６．６ｋＶである。
【００２５】
交流入力電圧ＶＩが下限電圧よりも高い場合には、商用交流電源４は正常であると判別され、光信号α１〜αＮが出力され、光信号β１〜βＮの出力は停止される。交流入力電圧ＶＩが下限電圧よりも低い場合には、商用交流電源４は正常でないと判別され、光信号α１〜αＮの出力が停止され、光信号β１〜βＮが出力される。
【００２６】
光信号α１〜αＮはそれぞれ光ファイバＦＡ１〜ＦＡＮを介してドライバ１４に与えられ、光信号β１〜βＮはそれぞれ光ファイバＦＢ１〜ＦＢＮを介してドライバ１４に与えられる。
【００２７】
交流電圧発生器１２は、Ｎ個の交流電圧ＶＡ１〜ＶＡＮを出力する。交流電圧ＶＡ１〜ＶＡＮの大きさ（たとえば実効値）は同一であり、たとえば２００Ｖである。直流電圧発生器１３は、交流電圧ＶＡ１〜ＶＡＮをそれぞれ直流電圧ＶＤ１〜ＶＤＮに変換する。直流電圧ＶＤ１〜ＶＤＮの大きさは同一である。
【００２８】
直流電圧発生器１３は、Ｎ個の整流器Ｒ１〜ＲＮを含む。整流器Ｒ１〜ＲＮは、それぞれ交流電圧ＶＡ１〜ＶＡＮを受け、それぞれ直流電圧ＶＤ１〜ＶＤＮを出力する。整流器Ｒ１は、交流電圧ＶＡ１を整流して直流電圧ＶＤ１を生成する。他の整流器Ｒ２〜ＲＮの各々は、整流器Ｒ１と同様である。
【００２９】
ドライバ１４は、Ｎ個の切換回路Ｓ１〜ＳＮを含む。切換回路Ｓ１〜ＳＮは、それぞれ直流電圧ＶＤ１〜ＶＤＮを受けるとともに、それぞれＩＧＢＴＱ１〜ＱＮのゲートおよびエミッタ間に接続される。切換回路Ｓ１〜ＳＮは、それぞれ光ファイバＦＡ１〜ＦＡＮを介して停電検出器１１に接続されるとともに、それぞれ光ファイバＦＢ１〜ＦＢＮを介して停電検出器１１に接続される。
【００３０】
切換回路Ｓ１は、光ファイバＦＡ１からの光信号α１に応答して、ＩＧＢＴＱ１のゲートおよびエミッタ間に直流電圧ＶＤ１を与えてＩＧＢＴＱ１をオンさせる。また、切換回路Ｓ１は、光ファイバＦＢ１からの光信号β１に応答して、ＩＧＢＴＱ１のゲートおよびエミッタ間を接続してＩＧＢＴＱ１をオフさせる。他の切換回路Ｓ２〜ＳＮの各々は、切換回路Ｓ１と同様である。
【００３１】
したがって、停電検出器１１から光信号α１〜αＮが出力されるとスイッチ１（ＩＧＢＴＱ１〜ＱＮ）がオンし、停電検出器１１から光信号β１〜βＮが出力されるとスイッチ１（ＩＧＢＴＱ１〜ＱＮ）がオフする。
【００３２】
図３は、図２に示した交流電圧発生器１２の構成を示す回路ブロック図である。図３において、交流電圧発生器１２は、交流電源１５およびＮ個の絶縁トランスＴ１〜ＴＮを含む。交流電源１５は、所定周波数ｆ０の交流電源電圧Ｖ０を生成する。周波数ｆ０は、比較的小型の絶縁トランスで伝送することが可能な周波数（たとえば１０ｋＨｚ）に設定されている。
【００３３】
交流電源１５は、図４に示すように、直流電源２１、リアクトル２２、スイッチ２３、絶縁トランスＴ０、コンデンサ２６、および制御部２７を備える。スイッチ２３は、一対のサイリスタ２４，２５を含む。
【００３４】
リアクトル２２の一方端子は直流電源２１の正極に接続され、その他方端子は絶縁トランスＴ０の１次巻線Ｗ１およびコンデンサ２６を介して直流電源２１の負極に接続される。サイリスタ２４のアノードはリアクトル２２の他方端子に接続され、そのカソードは直流電源２１の負極に接続されている。サイリスタ２５は、サイリスタ２４に逆並列に接続されている。
【００３５】
絶縁トランスＴ０の１次巻線Ｗ１とコンデンサ２６は、所定の共振周波数を有するＬＣ共振回路を構成する。制御部２７は、その共振周波数でサイリスタ２４，２５を交互にオンさせる。これにより、絶縁トランスＴ０の１次巻線Ｗ１に交流電圧ＶＡＳが発生し、その２次巻線Ｗ２から交流電源電圧ＶＡ０が出力される。
【００３６】
図３に戻って、絶縁トランスＴｎ，Ｔ（ｎ＋１）の１次巻線Ｗ１は交流電源電圧Ｖ０を受ける。ｎはＮよりも小さな自然数である。たとえば、Ｎ＝７、ｎ＝３である。絶縁トランスＴ１〜Ｔ（ｎ−１）の１次巻線Ｗ１は、それぞれ絶縁トランスＴ２〜Ｔｎの２次巻線Ｗ２に接続される。
【００３７】
絶縁トランスＴ（ｎ＋２）〜ＴＮの１次巻線Ｗ１は、それぞれ絶縁トランスＴ（ｎ＋１）〜Ｔ（Ｎ−１）の２次巻線Ｗ２に接続される。絶縁トランスＴ１〜ＴＮの２次巻線Ｗ２は、それぞれ交流電圧ＶＡ１〜ＶＡＮを出力する。
【００３８】
この交流電圧発生器１２では、絶縁トランスＴｎ〜Ｔ１を順次接続するとともに、絶縁トランスＴ（ｎ＋１）〜ＴＮを順次接続する。たとえば、Ｎ＝７とし、ｎ＝３とし、絶縁トランスＴ７の負荷容量をＰとすると、絶縁トランスＴ１〜Ｔ７の負荷容量はそれぞれＰ，２Ｐ，３Ｐ，４Ｐ，３Ｐ，２Ｐ，Ｐとなり、負荷容量の総和は１６Ｐとなる。製造効率を考慮し、絶縁トランスＴ１〜Ｔ７の各々として負荷容量が４Ｐの絶縁トランスを使用する場合でも、負荷容量の総和は２８Ｐとなる。
【００３９】
なお、絶縁トランスＴ０〜ＴＮの各々において２次巻線Ｗ２の巻数と１次巻線Ｗ１の巻数との比は１であり、絶縁トランスＴ１〜Ｔ０の各々の変圧比は１である。したがって、交流電圧ＶＡＳ、交流電源電圧ＶＡ０、および交流電圧ＶＡ１〜ＶＡＮの大きさは同じである。ただし、絶縁トランスＴ０においては、２次巻線Ｗ２の巻数と１次巻線Ｗ１の巻数との比は必ずしも１である必要はない。絶縁トランスＴ０は、交流電圧ＶＡＳを降圧して交流電源電圧ＶＡ０を出力しても構わない。
【００４０】
図５は、図２に示した整流器Ｒ１および切換回路Ｓ１の構成を示す回路図である。図５において、整流器Ｒ１は、入力端子３０ａ，３０ｂ、出力端子３０ｃ，３０ｄ、コンデンサ３１，３８、抵抗素子３２，３３、およびダイオード３４〜３７を含み、切換回路Ｓ１は光トランジスタ３９，４０を含む。
【００４１】
整流器Ｒ１の入力端子３０ａ，３０ｂは、対応する絶縁トランスＴ１の２次巻線Ｗ２から交流電圧ＶＡ１を受ける。コンデンサ３１は、マッチングコンデンサと呼ばれ、入力端子３０ａ，３０ｂ間に接続される。コンデンサ３１の容量値は、絶縁トランスＴ１〜ＴＮの交流出力電圧ＶＡ１〜ＶＡＮの大きさが等しくなるように設定されている。
【００４２】
抵抗素子３２，３３の一方端子はそれぞれ入力端子３０ａ，３０ｂに接続され、それらの他方端子はそれぞれダイオード３４，３５のアノードに接続される。抵抗素子３２，３３は、整流器Ｒ１の入力電流を調整する。
【００４３】
ダイオード３４，３５のカソードはともに出力端子３０ｃに接続される。ダイオード３６，３７のアノードはともに出力端子３０ｄに接続され、それらのカソードはそれぞれダイオード３４，３５のアノードに接続される。ダイオード３４〜３７は、全波整流回路を構成し、交流電圧ＶＡ１を直流電圧ＶＤ１に変換する。コンデンサ３８は、直流電圧ＶＤ１を平滑化および安定化させる。
【００４４】
光トランジスタ３９のコレクタは整流器Ｒ１の出力端子３０ｃに接続され、そのエミッタはＩＧＢＴＱ１のゲートに接続され、そのベースは光ファイバＦＡ１の出力端に接続される。光トランジスタ３９は、停電検出器１１（図２）から光信号α１が出力されている場合（商用交流電源４の健全時）にオンし、光信号α１の出力が停止された場合（商用交流電源４の停電時）にオフする。
【００４５】
光トランジスタ４０のコレクタはＩＧＢＴＱ１のゲートに接続され、そのエミッタはＩＧＢＴＱ１のエミッタに接続され、そのベースは光ファイバＦＢ１の出力端に接続される。光トランジスタ４０は、停電検出器１１（図２）から光信号β１が出力されている場合（商用交流電源４の停電時）にオンし、光信号β１の出力が停止された場合（商用交流電源４の健全時）にオフする。他の整流器Ｒ２〜ＲＮおよび切換回路Ｓ２〜ＳＮは、整流器Ｒ１および切換回路Ｓ１と同様である。
【００４６】
次に、図２〜図５で示した制御装置３の動作について説明する。図２に示すように、商用交流電源４から供給される交流電圧ＶＩの瞬時値が電圧検出器１０によって検出され、その検出結果に基づき、停電検出器１１によって商用交流電源４から交流電圧ＶＩが正常に供給されているか否かが判別される。
【００４７】
商用交流電源４から交流電圧ＶＩが正常に供給されている場合（商用交流電源４の健全時）には、停電検出器１１から光信号α１〜αＮが出力される。また、商用交流電源４から交流電圧ＶＩが正常に供給されていない場合（商用交流電源４の停電時）には、停電検出器１１から光信号β１〜βＮが出力される。
【００４８】
また図３に示すように、交流電源１５によって交流電源電圧ＶＡ０が生成されて絶縁トランスＴｎ，Ｔ（ｎ＋１）の１次巻線Ｗ１に与えられる。絶縁トランスＴｎ〜Ｔ１は順次接続されており、それらの２次巻線Ｗ２からそれぞれ交流電圧ＶＡｎ〜ＶＡ１が出力される。また、絶縁トランスＴ（ｎ＋１）〜ＴＮは順次接続されており、それらの２次巻線Ｗ２からそれぞれ交流電圧ＶＡ（ｎ＋１）〜ＶＡＮが出力される。
【００４９】
図２に示すように、絶縁トランスＴ１〜ＴＮの交流出力電圧ＶＡ１〜ＶＡＮは、それぞれ整流器Ｒ１〜ＲＮに与えられる。たとえば交流電圧ＶＡ１は、図５に示すように、整流器Ｒ１の入力端子３０ａ，３０ｂ間に印加される。
【００５０】
交流電圧ＶＡ１が正極性である期間には、入力端子３０ａから抵抗素子３２、ダイオード３４、コンデンサ３８、ダイオード３７、および抵抗素子３３を介して入力端子３０ｂに電流が流れ、コンデンサ３８が充電される。
【００５１】
交流電圧ＶＡ１が負極性である期間には、入力端子３０ｂから抵抗素子３３、ダイオード３５、コンデンサ３８、ダイオード３６、および抵抗素子３２を介して入力端子３０ａに電流が流れ、コンデンサ３８が充電される。コンデンサ３８の端子間には、直流電圧ＶＤ１が発生する。直流電圧ＶＤ１は、切換回路Ｓ１に与えられる。
【００５２】
同様に、交流電圧ＶＡ２〜ＶＡＮは、整流器Ｒ１〜ＲＮによって直流電圧ＶＤ２〜ＶＤＮに変換されて切換回路Ｓ２〜ＳＮに与えられる。
【００５３】
商用交流電源４（図１）の健全時には、停電検出器１１（図２）から光信号α１〜αＮが出力されるとともに光信号β１〜βＮの出力が停止され、切換回路Ｓ１〜ＳＮの各々において、光トランジスタ３９がオンするとともに光トランジスタ４０がオフする。これにより、直流電圧ＶＤ１〜ＶＤＮが切換回路Ｓ１〜ＳＮの光トランジスタ３９を介してＩＧＢＴＱ１〜ＱＮのゲートおよびエミッタ間に印加され、ＩＧＢＴＱ１〜ＱＮ（すなわちスイッチ１）がオンする。
【００５４】
商用交流電源４の停電時には、停電検出器１１（図２）から光信号β１〜βＮが出力されるとともに光信号α１〜αＮの出力が停止され、切換回路Ｓ１〜ＳＮの各々において、光トランジスタ４０がオンするとともに光トランジスタ３９がオフする。これにより、ＩＧＢＴＱ１〜ＱＮのゲートおよびエミッタ間が切換回路Ｓ１〜ＳＮの光トランジスタ４０によって接続され、ＩＧＢＴＱ１〜ＱＮ（すなわちスイッチ１）がオフする。
【００５５】
図６は、実施の形態１の比較例１を示す回路ブロック図であって、図３と対比される図である。図６を参照して、この比較例１が実施の形態１と異なる点は、交流電圧発生器１２が交流電圧発生器４１で置換されている点である。
【００５６】
この交流電圧発生器４１では、交流電源１５の交流出力電圧ＶＡ０が絶縁トランスＴ１の１次巻線Ｗ１に与えられ、絶縁トランスＴ１〜Ｔ（Ｎ−１）の２次巻線Ｗ２がそれぞれ絶縁トランスＴ２〜ＴＮの１次巻線Ｗ１に接続され、絶縁トランスＴ１〜ＴＮの２次巻線Ｗ２から交流電圧ＶＡ１〜ＶＡＮが出力される。
【００５７】
この比較例１では、絶縁トランスＴ１〜ＴＮを順次接続するので、絶縁トランスＴ１〜ＴＮの負荷容量の和が大きくなる。たとえばＮ＝７の場合には、絶縁トランスＴ７の負荷容量をＰとすると、絶縁トランスＴ１〜Ｔ７の負荷容量はそれぞれ７Ｐ，６Ｐ，５Ｐ，４Ｐ，３Ｐ，２Ｐ，Ｐとなり、負荷容量の総和は２８Ｐとなる。製造効率を考慮し、絶縁トランスＴ１〜Ｔ７の各々として負荷容量が７Ｐの絶縁トランスを使用すると、負荷容量の総和は４９Ｐとなる。
【００５８】
これに対して実施の形態１の交流電圧発生器１２では、図３を用いて説明したように、Ｎ＝７、ｎ＝３の場合には、絶縁トランスＴ１〜ＴＮの負荷容量はそれぞれＰ，２Ｐ，３Ｐ，４Ｐ，３Ｐ，２Ｐ，Ｐとなり、負荷容量の総和は１６Ｐとなる。製造効率を考慮し、絶縁トランスＴ１〜Ｔ７の各々として４Ｐの絶縁トランスを使用した場合でも、負荷容量の総和は２８Ｐとなる。
【００５９】
一般に、負荷容量の大きな絶縁トランスは、負荷容量の小さな絶縁トランスと比べ、大型で高コストとなる。したがって、本実施の形態１によれば、比較例１よりも絶縁トランスＴ１〜ＴＮの負荷容量の総和を小さくすることができ、装置の小型化および低コスト化を図ることができる。
【００６０】
図７は、実施の形態１の他の比較例２を示す回路ブロック図であって、図３と対比される図である。図６を参照して、この比較例２が実施の形態１と異なる点は、交流電圧発生器１２が交流電圧発生器４２で置換されている点である。この交流電圧発生器４２では、交流電源１５の交流出力電圧ＶＡ０が絶縁トランスＴ１〜ＴＮの１次巻線Ｗ１に与えられ、絶縁トランスＴ１〜ＴＮの２次巻線Ｗ２から交流電圧ＶＡ１〜ＶＡＮが出力される。
【００６１】
この比較例２では、絶縁トランスＴ１〜ＴＮを並列接続するので、絶縁トランスＴ１〜ＴＮの負荷容量の和が小さくなる。たとえばＮ＝７の場合には、絶縁トランスＴ７の負荷容量をＰとすると、絶縁トランスＴ１〜Ｔ７の負荷容量は全てＰとなり、負荷容量の総和は７Ｐとなる。しかし、この比較例２では、高耐圧の絶縁トランスＴ１〜ＴＮを使用する必要がある。
【００６２】
すなわち、図２に示すように、スイッチ１の一方端子１ａの電圧をＶ１とし、ＩＧＢＴＱ１〜ＱＮのエミッタの電圧をそれぞれＶ２〜Ｖ（Ｎ＋１）とする。たとえばＮ＝７とすると、ＩＧＢＴＱ１〜Ｑ７のエミッタの電圧はそれぞれＶ２〜Ｖ８となる。スイッチ１の端子１ａ，１ｂ間の電圧を７ｋＶとすると、ＩＧＢＴＱ１〜Ｑ７の各々のコレクタおよびエミッタ間の電圧は１ｋＶとなる。
【００６３】
また、図５に示すように、ＩＧＢＴＱ１のエミッタの電圧Ｖ２は、ダイオード３６，３７および抵抗素子３２，３３を介して対応する絶縁トランスＴ１の２次巻線Ｗ２に印加される。同様に、ＩＧＢＴＱ７のエミッタの電圧Ｖ８は、絶縁トランスＴ７の２次巻線Ｗ２に印加される。
【００６４】
図７に戻って、絶縁トランスＴ１と絶縁トランスＴＮ（ここではＴ７）の２次巻線Ｗ２間にＶ８−Ｖ２＝６ｋＶが印加される。絶縁トランスの構造上、２つの絶縁トランスＴ１，Ｔ７で６ｋＶを均等に分圧することは難しいので、絶縁トランスＴ１，Ｔ７の各々として６ｋＶに耐えることが可能な高耐圧の絶縁トランス、すなわち高価格の絶縁トランスを使用する必要がある。
【００６５】
これに対して本実施の形態１の交流電圧発生器１２（図３）では、絶縁トランスＴ１の２次巻線Ｗ２および１次巻線Ｗ１にそれぞれＶ２，Ｖ３が印加されるので、絶縁トランスＴ１として１ｋＶに耐えることが可能な低耐圧の絶縁トランス、すなわち低価格の絶縁トランスを使用すれば足りる。他の絶縁トランスＴ２〜Ｔ７も同様である。
【００６６】
一般に、高耐圧の絶縁トランスは、低耐圧の絶縁トランスと比べ、かなり大型でコスト高になる。したがって、本実施の形態１によれば、比較例２よりも低耐圧の絶縁トランスを使用することができ、装置の小型化および低コスト化を図ることができる。
【００６７】
[実施の形態２]
図８は、この発明の実施の形態２による無停電電源装置の要部を示す回路ブロック図であって、図３と対比される図である。図８を参照して、実施の形態２が実施の形態１と異なる点は、交流電圧発生器１２が交流電圧発生器４５で置換されている点である。交流電圧発生器４５は、交流電圧発生器１２と同様に、交流電源１５および絶縁トランスＴ１〜ＴＮを含む。
【００６８】
絶縁トランスＴｎの１次巻線Ｗ１は交流電源電圧Ｖ０を受ける。この実施の形態２において、Ｎは３以上の自然数であり、ｎはＮよりも小さな自然数である。たとえば、Ｎ＝７、ｎ＝４である。絶縁トランスＴ１〜Ｔ（ｎ−１）の１次巻線Ｗ１は、それぞれ絶縁トランスＴ２〜Ｔｎの２次巻線Ｗ２に接続される。
【００６９】
絶縁トランスＴ（ｎ＋１）〜ＴＮの１次巻線Ｗ１は、それぞれ絶縁トランスＴｎ〜Ｔ（Ｎ−１）の２次巻線Ｗ２に接続される。絶縁トランスＴ１〜ＴＮの２次巻線Ｗ２は、それぞれ交流電圧ＶＡ１〜ＶＡＮを出力する。他の構成および動作は、実施の形態１と同じであるので、その説明は繰り返さない。
【００７０】
この交流電圧発生器１２では、絶縁トランスＴｎ〜Ｔ１を順次接続するとともに、絶縁トランスＴｎ〜ＴＮを順次接続する。たとえば、Ｎ＝７とし、ｎ＝４とし、絶縁トランスＴ７の負荷容量をＰとすると、絶縁トランスＴ１〜Ｔ７の負荷容量はそれぞれＰ，２Ｐ，３Ｐ，７Ｐ，３Ｐ，２Ｐ，Ｐとなり、負荷容量の総和は１９Ｐとなる。製造効率を考慮して絶縁トランスＴ１〜Ｔ３，Ｔ５〜Ｔ７の各々を３Ｐの絶縁トランスを使用する場合でも、負荷容量の総和は２５Ｐとなる。
【００７１】
したがって、比較例１よりも負荷容量が小さな絶縁トランスを使用することができる。また、比較例２のように高耐圧の絶縁トランスを使用する必要もない。したがって、比較例１，２よりも装置の小型化および低コスト化を図ることができる。
【００７２】
[実施の形態３]
図９は、この発明の実施の形態３による無停電電源装置の要部を示す回路ブロック図であって、図８と対比される図である。図９を参照して、実施の形態３が実施の形態２と異なる点は、交流電圧発生器４５が交流電圧発生器５０で置換されている点である。
【００７３】
交流電圧発生器５０は、交流電圧発生器４５の交流電源１５および絶縁トランスＴｎを交流電源５１で置換したものである。交流電源５１は、所定周波数ｆ０の交流電圧ＶＡｎを生成する。周波数ｆ０は、比較的小型の絶縁トランスで伝送することが可能な周波数（たとえば１０ｋＨｚ）に設定されている。
【００７４】
図１０は、図９に示した交流電源５１の構成を示す回路ブロック図であって、図４と対比される図である。図１０を参照して、交流電源５１は、交流電源１５の絶縁トランスＴ０を絶縁トランスＴｎで置換したものである。絶縁トランスＴｎの１次巻線Ｗ１の一方端子はリアクトル２２を介して直流電源２１の正極に接続され、その他方端子はコンデンサ２６を介して直流電源２１の負極に接続される。
【００７５】
絶縁トランスＴｎの１次巻線Ｗ１とコンデンサ２６は、所定の共振周波数を有するＬＣ共振回路を構成する。制御部２７は、その共振周波数でサイリスタ２４，２５を交互にオンさせる。これにより、絶縁トランスＴ０の１次巻線Ｗ１に交流電源電圧ＶＡ０が発生し、その２次巻線Ｗ２から交流電圧ＶＡｎが出力される。
【００７６】
この実施の形態３では、絶縁トランスＴｎを交流電源５０内に設けたので、実施の形態２よりも絶縁トランスの数を少なくすることができ、装置の小型化および低価格化を図ることができる。
【００７７】
今回開示された実施の形態はすべての点で例示であって制限的なものではないと考えられるべきである。本発明は上記した説明ではなくて請求の範囲によって示され、請求の範囲と均等の意味および範囲内でのすべての変更が含まれることが意図される。
【符号の説明】
【００７８】
ＴＩ  交流入力端子、ＴＯ  交流出力端子、ＴＢ  バッテリ端子、１，２３  スイッチ、ＣＴ  電流検出器、２  双方向コンバータ、３  制御装置、４  商用交流電源、５  負荷、６  バッテリ、Ｑ１〜ＱＮ  ＩＧＢＴ、Ｄ１〜ＤＮ，３４〜３７  ダイオード、１０  電圧検出器、１１  停電検出器、ＦＡ１〜ＦＡＮ，ＦＢ１〜ＦＢＮ  光ファイバ、１２，４１，４２，４５，５０  交流電圧発生器、１３  直流電圧発生器、１４  ドライバ、Ｒ１〜ＲＮ  整流器、Ｓ１〜ＳＮ  切換回路、１５，５１  交流電源、Ｔ０〜ＴＮ  絶縁トランス、Ｗ１  １次巻線、Ｗ２  ２次巻線、２１  直流電源、２２  リアクトル、２４，２５  サイリスタ、２６，３１，３８  コンデンサ、２７  制御部、３２，３３  抵抗素子、３９，４０  光トランジスタ。
【要約】
制御装置（３）は、第１〜第Ｎの交流電圧を生成する交流電圧発生器（１２）と、第１〜第Ｎの交流電圧をそれぞれ第１〜第Ｎの直流電圧に変換する直流電圧発生器（１３）と、第１〜第Ｎの直流電圧に基づいてスイッチ（１）をオンおよびオフさせるドライバ（１４）とを備える。交流電圧発生器（１２）は、第１〜第Ｎの絶縁トランス（Ｔ１〜ＴＮ）を含む。第ｎおよび第（ｎ＋１）の絶縁トランスの１次巻線は交流電源電圧を受け、第ｎ〜第１の絶縁トランスは順次接続され、第（ｎ＋１）〜第Ｎの絶縁トランスは順次接続され、第１〜第Ｎの絶縁トランスの２次巻線はそれぞれ第１〜第Ｎの交流電圧を出力する。【図１】
0006666527.tif 000002
【図２】
0006666527.tif 000003
【図３】
0006666527.tif 000004
【図４】
0006666527.tif 000005
【図５】
0006666527.tif 000006
【図６】
0006666527.tif 000007
【図７】
0006666527.tif 000008
【図８】
0006666527.tif 000009
【図９】
0006666527.tif 000010
【図１０】
0006666527.tif 000011